(57)【要約】【課題】模様を適宜変化させることのできる爪に装着する装身具を提供する。【解決手段】爪に装着し,表面に色、模様を変更する表示部を有し、この表示部を電磁手段等により、変更してその模様を保持する装着具。表面の模様は外部から前記表示部表面を走査して電磁的手段で変更するか、あるいは表示をするための形態情報を保有する形態記憶部と、表示部の微小部分に電磁的手段等を変化させながら前記表示部に作用して表示を更新する書き込み装置から表示部の模様に関する情報を書き込み装置から電気信号を付け爪に送り、付け爪で表示を制御して変更する装身具に関する。【選択図】図１
2006230436.tif 000002
【特許請求の範囲】
【請求項１】
電磁手段および光学手段および磁気手段および熱手段のうちの少なくとも一つが作用することにより色彩あるいは白黒が変化する部材で構成した表示部と、
爪に装着する装着部と、
を有する装身具。
【請求項２】
前記装身具の外部から電磁手段または光手段のうちの少なくとも一つにより前記表示部に関する信号を受ける受信手段と、
前記受信手段を通じて前記装身具の外部から前記表示に関する信号を取り入れ、前記表示部に表示すべき内容を送る制御部と、
前記制御部と接続した前記表示部と、
前記表示部が前記表示部に表示すべき内容によって前記表示を変更する装身具。
【請求項３】
前記表示をするための形状、模様、色彩  若しくはこれらの結合である形態情報を保有する形態記憶部と、
前記形態情報に基づいて前記表示部の微小部分に電磁的手段および光学的手段および磁気的手段の少なくとも一つを変化させながら前記表示部表面を走査し、請求項１に記載の前記装身具に設けた前記表示部に作用して表示を更新する書き込み部と
よりなる書き込み装置
【請求項４】
外部の回線と接続して前記形態情報を入手する回線接続部と
形状、模様、色彩  若しくはこれらの結合である形態情報を、電磁気手段および光学手段および磁気的手段のうちの少なくとも一つの手段を用いて保有、もしくは前記回線接続部より入手する形態記憶部と、
前記形態情報に基づいて電磁的手段および光学的手段および磁気的手段の少なくとも一つにより、請求項１に記載の装身具に設けた前記表示部に作用し、前記形状、前記模様、前記色彩  若しくはこれらの結合を変化させる書き込み部と
よりなる書き込み装置
【請求項５】
形状、模様、色彩  若しくはこれらの結合である形態情報を、電磁気手段および光学手段および磁気手段のうちの少なくとも一つの手段で有する、あるいは入手する形態記憶部と、
電磁気手段および光学的手段および磁気手段の少なくとも一つにより、請求項２に記載の装身具に設けた制御手段に作用し、
前記装身具の外部から目視できる前記表示部の前記形状、前記模様、前記色彩  若しくはこれらの結合を変化させる書き込み部と、
前記書き込み部へ形態情報を送る制御部と
よりなる書き込み装置。
【請求項６】
形状、模様、色彩  若しくはこれらの結合である形態情報を、電磁気手段および光学手段および磁気手段のうちの少なくとも一つの手段で有する、あるいは入手する形態記憶部と、
前記回線接続部と、
電磁気手段および光学的手段および磁気手段の少なくとも一つにより、請求項２に記載の装身具に設けた制御手段に作用し、
前記装身具の外部から目視できる前記表示部の前記形状、前記模様、前記色彩  若しくはこれらの結合を変化させる書き込み部と、
前記書き込み部へ形態情報を送る制御部と
よりなる書き込み装置。
【請求項７】
前記書き込み装置と前記付け爪が、前記電磁的手段あるいは磁気手段を用いて電力の授受も行う請求項２、もしくは請求項４に記載の付け爪。
【発明の詳細な説明】
【技術分野】
【０００１】
本発明は電磁的手段により表面の模様、色彩、またはこれらの結合である形態を変化させる装身具、特に爪に装着する付け爪に関するものである。
【背景技術】
【０００２】
従来、ネイルアートの普及に伴い装飾用のつけ爪が一般に販売されている。この種のつけ爪は、合成樹脂の基材印刷、手描きにより絵や模様等の装飾表示を設け、裏面の粘着層により爪に貼る。したがって、好みに応じたものを手軽にを楽しむことができる。
【０００３】
また図１２に示すように、表示部に紫外線、温度で発色、変色する機能性インクを用いて絵を描き、模様が変化する付け爪もある。例えば特許文献１参照）。
【特許文献１】特開２００２−３４６４０号公報（第３頁段落（００１９）−４頁段落（００２４）、図１、図２  ）。
【発明の開示】
【発明が解決しようとする課題】
【０００４】
しかしながら、従来の付け爪においては描かれている模様は一切変化しないか、変化してもあらかじめ機能性インクで描かれた模様、色の範囲でしか変化することができない。
【０００５】
また模様、色を変化させるのに、温度変化により変化する機能性インクを用いた場合では周囲の温度で模様が変化し、紫外線で発光、発色する機能性インクを用いた場合では紫外線投光器等による紫外線が当たっている間だけしか発色せず、付け爪の使用者の意思にかかわらず模様が変化してしまう、また変化の範囲もあらかじめ印刷した模様に限られたものであるという問題があった。
【０００６】
本発明は、従来の問題を解決するためになされたもので、使用者の意思により、色々に形態が変化することのできる付け爪を提供することを目的とする。
【課題を解決するための手段】
【０００７】
本発明の付け爪は、電磁手段および光手段および磁気的手段のうちの少なくとも一つにより、外部から目視できる部分の模様、色彩  若しくはこれらの結合である形態を変化させる爪に装着する構成を有している。
【０００８】
この構成により、使用者の意思により付け爪の形態を、使用者の意思で、多彩に変えることができる。
【０００９】
また本発明の付け爪は爪の表面を覆う表示部と、外部から信号を受ける接続部と、前記接続部と前記表示部を制御する制御部とを有し前記表示部が前記制御部により外部から目視できる部分の形状、模様、色彩  若しくはこれらの結合を変化させる構成を有している。
【００１０】
この構成により、電気信号を装身具に伝えることにより付け爪の形態を変えることができる。
【００１１】
さらに本発明の付け爪の書き込み装置は、形状、模様、色彩  若しくはこれらの結合である形態情報を、電磁手段および光手段および磁気的手段のうちの少なくとも一つの手段を用いて保有、もしくは入手する形態記憶部と、前記形態情報に基づいて電磁的手段および光学的手段および磁気的手段の少なくとも一つにより、装身具に設けた前記表示部に作用し、前記形状、前記模様、前記色彩  若しくはこれらの結合を変化させる書き込み部と
よりなる書き込み装置である。この構成により、付け爪の形態を変化させることができ、またこの書き込み装置内の情報を多数持つことにより、付け爪の形態を多様に変化させることができる。
【００１２】
また、本発明の書き込み装置は、形状、模様、色彩  若しくはこれらの結合である形態情報を、電磁手段および光手段および磁気的手段のうちの少なくとも一つの手段で有する、あるいは入手する形態記憶部と、電磁的手段および光学的手段および磁気的手段の少なくとも一つにより、装身具に設けた制御手段に作用し、前記装身具の外部から目視できる前記表示部の前記形状、前記模様、前記色彩  若しくはこれらの結合を変化させる書き込み部と、前記書き込み部へ形態情報を送る制御部とよりなる書き込み装置である。この構成により、高速に形態の情報を付け爪に伝え、表示部を変更することができる。
さらに本発明の付け爪は前記書き込み装置と前記付け爪が、前記電磁的手段を用いて電力の授受も行う付け爪である、この構成により、重く、容積の必要な電池を付け爪から省くことができる。
【発明の効果】
【００１３】
本発明は使用者の意思により付け爪の形態を、使用者の意思で、多彩に変えることができるという効果を有し、仕事場では落ちついた色と模様の付け爪であり、仕事を終えた後では好みに応じて人目を引く色と模様の付け爪へと変化することのできる付け爪を提供することができるものである。
【発明を実施するための最良の形態】
【００１４】
以下、本発明の実施の形態の付け爪について、図面を用いて説明する。
【００１５】
（第１の実施の形態）
図１において本発明の実施の形態の付け爪１を、図４（ａ)において図1に示す付け爪に形態を書き込む書き込み装置を示す。
付け爪１は、模様等の形態を表示する表示部２、表示部２には帯電した黒、白、赤、青、黄に着色した粒子を、透明、あるいは白色の液体中に浮遊させたマイクロカプセル３が整列して並べてある。また表示部１の裏面には、電界を形成するための裏面電極４があり、付け爪を爪に固定するための粘着部５とがある。
【００１６】
また図４（ａ）に示す書き込み装置４１は細い電界を表示部に形成するため、表示部の表面と一定の間隔を保ちながら移動するヘッド４２と、送り機構４３（ねじ送りが一般的であるが）を駆動し、をヘッド４２と裏面電極４で作る電界に同期させながらヘッド４２を送るヘッド駆動部４４、電界の制御、ヘッドの位置を制御するCPU４５、ヘッド４２と裏面電極４とで表示部２に描画する形態を記憶しておくメモリー４６、付け爪の接点A４７aに接触しヘッド４２と裏面電極４との間で電界を形成するために裏面電極４に電位を与えるための接点B４7bとで構成している。
【００１７】
送り機構４３はでヘッド４２を付け爪の表面を一定の間隔を正確に保持しながら移動する。ヘッド４２の位置と、ヘッド４２と裏面電極３７で形成する電位でマイクロカプセルにかかる電位を制御し、付け爪の表示部１に模様を形成する。
【００１８】
ここで、ヘッド４２の移動を行う替わりに微小なヘッド４２を多数敷き詰めたシートを表示部２に密着させ、多数のヘッド４２を制御して通電して表示を変更することも可能である。
【００１９】
図２、図３に示す付け爪１の表示部２に、黒、白、赤、青、黄の各色の粒子を封入したマイクロカプセル３１aないし３１dを一定の順で整列させ、図４（ａ）に示すスタッド４９と図２に示す付け爪１の一部に設けた勘合部４６で書き込み装置４１と付け爪１の位置を固定し、ヘッド送り部４３が各色のマイクロカプセルの位置に対応した電界をヘッド４２で形成することにより、表示部２にカラーの形態を現すことができる。
【００２０】
また、書き込み装置４１にCPU４５で制御する磁界制御部４８も設け。磁気に反応して移動する電荷を帯びた多色粒子をひとつのマイクロカプセルに封入し、ヘッド42で電界に合わせて磁界制御も行い、黒、白、赤、青、黄、のいずれかの粒子を表面に導くのも可能である。
【００２１】
さらに電界制御部に変えて
図２は本発明の付け爪１を爪に装着する場合の斜視図である。また図3は図１に示したマイクロカプセル部分の拡大図である。マイクロカプセル３１aないし３１ｄは説明のため白色粒子３２と黒色粒子３３とで説明しているが、３１aのマイクロカプセルにはプラスに帯電した黒色粒子とマイナスに帯電した白色粒子、３１ｂのマイクロカプセルにプラスに帯電した黄黒色粒子と白色粒子、３１ｃのマイクロカプセルにはプラスに帯電した青色粒子と白色粒子、３１ｄのマイクロカプセルにはプラスに帯電した赤色粒子と白色粒子を封入し、各マイクロカプセル上をヘッド４２が移動する際に必要な色の上で電界をかければ各3原色あるいは黒色があらわれて付け爪の表面に模様と色彩による形態を形成することができる。
【００２２】
これらのマイクロカプセル３１aないし３１ｄはプライマー３４で表示部ベース３５に接着されており表面には保護層３６がある。また電極３７は接点A,接点Bにより書き込み装置４１と接続しヘッド４２とで、マイクロカプセル３１a等に対して細い電界を形成する。このため、電極３７はストライプで形成し、このストライプと直角方向にヘッド４２を走査するのが好ましい。
【００２３】
このような本発明の第１の実施の形態の付け爪によれば、書き込み装置からの電界で表示部が変化するため、通常の付け爪の使用状態では付け爪は電気等の供給を受けることなく、その形態を維持することができる。また、電界はヘッド42と裏面電極で形成されるため、通常の使用においてその形態を変化させる電界が表示部に与えられることは無く、次に書き込むまで付け爪は形態を安定に維持することができる。
【００２４】
また、マイクロカプセルに変えてコステリック液晶のセルを表示部２に形成し、書き込み装置41のヘッド部を、表示部２の表面に焦点を持つレーザ発光装置を備えたヘッドとし、電界制御部に換えて光線制御部４０を設ければ、より容易に色彩、模様の変更をすることができる。
【００２５】
（第２の実施の形態）
次に本発明の第２の実施の形態の付け爪及びその書き込み装置を図５ないし図７に示す。ここでマイクロカプセル３、保護層３６、ベース２５等は第1の実施例と同様である。第2の実施例において、付け爪は、第１の実施例に示した構成に加えて、透明導電体で形成した表面電極５１と、表面電極５１裏面電極４を制御しマイクロカプセル３に与える電界を制御する表示制御部５３、および表示制御部５３に表示部２へ表示する形態に関する情報、および電界をマイクロカプセルにあたえて表示制御手段５３を駆動するための電力を受ける接点C５２、を有する構成である（図６）。
【００２６】
一方、付け爪に形態情報を送る書き込み装置６１は、メモリー６７内に色、模様の情報を蓄積しておき、操作ボタン、表示部６９ａで好みの形態を選択し主に選択ボタンで構成した操作部６９ｂで決定し、付け爪へ電気信号の形で送る。形態の電気信号は接続部で接点不良などに対応した変換を行い接点６３ａ、６３ｂを経由して付け爪の制御部７７に設けた接続部７２へ送られるここで接点不良などに対応した変換には、高周波を変調すること、符号化により冗長性をもたせることなどがある。接続部７２はＣＰＵで処理できるように送られてきた電気信号を復調し制御部内のＣＰＵ７３へ送る。ＣＰＵ７３は復元された形態信号により、表示部２上に色彩、模様の形態を形成するための信号を電界発生部７５に送る。このとき一旦メモリー７４へ形態情報を蓄積しても良い。電界発生部７５とマトリックス制御部は表示部２内の表面電極、裏面電極で形成するマトリックスにかける電界を制御し、表示部に書き込み装置から送られてきた模様を表示する。このとき、表示部を駆動する電源、ＣＰＵ、メモリーを駆動する電源は、書き込み装置61から接点６３ａ，６３ｂを通して送られるが、表示部が自己保持機能を有しているため、次の接続まで表示を維持している。このとき接続部に、電源としてキャパシター、小型の電池を内蔵し（図示せず）、その電源が続く範囲で、メモリー７４の情報によって表示部の色彩を変更し、動的な表示をすることも可能である。
【００２７】
また回線接続部６８は携帯電話６と接続し、携帯電話が一般回線８から入手した表示情報を携帯電話から入手し、メモリー６７に蓄積する。また回線接続部には色々の形態がある、図７では破線でパソコン７に接続しているが、通常はケーブルの交換により携帯電話６あるいはパソコン７の一方に接続し、形態情報を得ることができる。
【００２８】
また、他の形態としては通信カードを回線接続部に挿入し、操作部69ｂの操作で回線８から直接形態情報を取り込むことも可能である。
（第３の実施の形態）
次に本発明の第３の実施の形態の付け爪、およびその書き込み装置を図８ないし図１１に示す。図８は第３の実施の形態の付け爪の断面模式図である。また付け爪のブロック図を図１０に付け爪の構成を図９に示す。本実施例の付け爪は表示部、制御部は第２の実施例と同じであるため、説明を省略する。また、本実施例の付け爪は第２の実施例の付け爪と比較し、接点６３ｂに換えてアンテナ８１を、接続部７２に換えて受信部８５を有している。またアンテナ８１からの出力から受信部８５を介して電源成分を取り出し、蓄電部８７へ送りまたＣＰＵ６６メモリー６７へ供給する電源管理部８７を有する。ここでアンテナからの電源供給のみでＣＰＵ等が動作できる場合は蓄電部８７は必須ではない。
【００２９】
ここで受信部、制御部メモリー等は図９に示す制御部７７の部分に集約して設ける。
【００３０】
また本実施例の書き込み装置９４は第２の実施例の図７に示す書き込み装置６１と比べ接続部６５に換えて送信制御部９２を、接点６３ａに換えてアンテナ９１を有している。
書き込み装置内のメモリーに蓄えてある模様、色彩の情報（形態情報）は実施の形態２の場合と同じく操作部より選択され送信制御部９２で、付け爪へ供給する電力とともに変調されアンテナ９１より付け爪のアンテナ８１へ送られる。ここで電力の重畳には電源送出部９３からの電力信号と、ＣＰＵからの形態情報を受信部で混合する。付け爪側のアンテナ８１はこの信号を受信部で分離し、電源管理部８６、及びＣＰＵへ送る。
このようにして本実施例の発明では、図１２（ａ），（ｂ）に示すように，例えば勤務中は図１２（ａ）に示すような肌色、淡いピンクと白の状態にしておき、勤務終了後は図１２（ｂ）の示す模様に変更することができる。
【００３１】
また回線接続部６８は携帯電話６と接続し、携帯電話が一般回線８から入手した表示情報を携帯電話から入手し、メモリー６７に蓄積する。また回線接続部には色々の形態がある、図７では破線でパソコン７に接続しているが、通常はケーブルの交換により携帯電話６あるいはパソコン７の一方に接続し、形態情報を得ることができる。
【００３２】
また、他の形態としては通信カードを回線接続部に挿入し、操作部69ｂの操作で回線８から直接形態情報を取り込むことも可能である。
【産業上の利用可能性】
【００３３】
以上のように、本発明にかかる付け爪はという効果を有し、使用者の意思で、多彩に変えることができるという効果を有し、仕事場では落ちついた色と模様の付け爪であり、仕事を終えた後では好みに応じて人目を引く色と模様の付け爪へと変化することのできる付け爪を提供することができるもので、装身具、特に爪に装着する付け爪に関して有用である。
【図面の簡単な説明】
【００３４】
【図１】本発明の第１、第２、第３の実施の形態における付け爪の概要を示す図
【図２】本発明の第１、第２、第３の実施の形態における付け爪を装着した場合を示す図
【図３】本発明の第１の実施の形態における表示部の構造を示す図
【図４】（ａ）,（ｂ）本発明の第１の実施の形態における第１の書き込み装置を示す図
【図５】本発明の第２の実施の形態における付け爪の概要を示す図
【図６】本発明の第２の実施の形態における書き込み装置を示す図
【図７】本発明の第２の実施の形態における付け爪、書き込み装置の構成を示す図
【図８】本発明の第３の実施の形態における付け爪の概要を示す図
【図９】本発明の第３の実施の形態の付け爪の構造を示す図
【図１０】本発明の第３の実施の形態の付け爪の構成を示す図
【図１１】本発明の第３の実施の形態の付け爪、書き込み装置の構成を示す図
【図１２】本発明の付け爪の表示の例を示す図
【図１３】従来の付け爪を示す図
【符号の説明】
【００３５】
１  付け爪
２  表示部
３  マイクロカプセル
４  裏面電極
５  ベースおよび装着部
３５  ベース
４１  書き込み装置
４２  ヘッド
４４  ヘッド駆動部
４７  接点
５１  表面電極
５２  接点
５３  表示制御部
６１  書き込み装置
６２ａ  爪ガイド
６２ｂ  爪ガイド
６６  コントロールプロセッシングユニット（ＣＰＵ）
６７  メモリー（画像、制御用）
６８  回線接続手段
８１  アンテナ
８５  受信部
【図１】
2006230436.tif 000003
【図２】
2006230436.tif 000004
【図３】
2006230436.tif 000005
【図５】
2006230436.tif 000006
【図６】
2006230436.tif 000007
【図７】
2006230436.tif 000008
【図８】
2006230436.tif 000009
【図９】
2006230436.tif 000010
【図１０】
2006230436.tif 000011
【図１２】
2006230436.tif 000012
【図１３】
2006230436.tif 000013
【図４】
2006230436.tif 000014
【図１１】
2006230436.tif 000015